(57)【要約】【課題】本発明は、利用者や適用箇所によらず装着することができ、かつ、装着部の運動機能を補助することができるだけでなく、所望する適度なフィット感が得られる帯状サポータを提供する。【解決手段】帯状サポータ１は、帯部２とこの両側の端部２ａ，２ｂに設けられる面状ファスナ（掛合部材）３ａ，３ｂとを備える。帯部２は、伸縮性を有する１本の平帯状であるとともに体の一部に２捲き以上螺旋状に捲き付けて少なくとも１か所で交差する長さを有する。【選択図】      図１
2005163209.tif 000002
【特許請求の範囲】
【請求項１】
伸縮性を有する１本の平帯状であるとともに体の一部に２捲き以上螺旋状に捲き付けて少なくとも１か所で交差する長さを有する帯部と、
前記帯部の両側の端部に設けられて互いに接続される掛合部材と
を備えることを特徴とする帯状サポータ。
【請求項２】
前記帯部は、少なくとも１つの関節部の両側にわたって螺旋状に捲き付けられるとともに前記間接部が伸ばされた状態に対して屈曲する側で前記帯部が少なくとも交差することを特徴とする請求項１に記載の帯状サポータ。
【請求項３】
前記帯部は、膝関節を挟んで大腿上部から下腿上部までの範囲に捲き付けることを特徴とする請求項１または請求項２に記載の帯状サポータ。
【請求項４】
前記掛合部材は、面状ファスナであることを特徴とする請求項１から請求項３のいずれか１項に記載の帯状サポータ。
【請求項５】
前記帯部の厚みを横切る方向に磁力線を向けて複数の磁石を前記帯部に間隔を有して配置することを特徴とする請求項１から請求項４のいずれか１項に記載の帯状サポータ。
【請求項６】
伸縮性を有する１本の平帯状に形成された帯状サポータを膝関節を挟んで大腿上部から下腿上部までの範囲にわたって体の前後および前記膝関節の後側で交差するように螺旋状に捲き付けることを特徴とする帯状サポータの装着方法。
【発明の詳細な説明】
【技術分野】
【０００１】
本発明は、伸縮性を有して装着部の運動機能を補助する帯状サポータおよび帯状サポータの装着方法に関する。
【背景技術】
【０００２】
靭帯の損傷や筋力の低下に伴う関節の緩み、あるいは筋や腱の炎症によって痛みが生じる場合がある。このような場合、痛みを避けるため、あるいは、けがを防止するために自ずと防衛本能が働き、激しい動作や機敏な動作を避けたり、動作が緩慢になったりすることが多い。そして、痛みの生じる部分をかばうために、当該部周辺を緊張させると、近傍の関節の可動範囲が狭まり、他の部分に余計な負荷を掛けてしまう。また、けがに起因する痛みの場合、緊張することによってその近傍も含めて筋肉が萎縮し、血流を悪くするため、当該部の治癒を阻害してしまうことがある。
【０００３】
このような場合、痛みのある部分を覆って当該部を保護あるいは補強するなど、体の運動機能を補助することを目的としたサポータがある。このようなサポータは、ゴムなどが編みこまれた伸縮性のある布地を用い、装着する体の形状に合せて立体的に造られている。サポータは、装着部分に対して適度に密着し、引き締めるように作用することで、当該部近傍を保護あるいは補強する効果が得られるものであるため、体形に合せて数種類用意されるか、あるいは、調整できるように造られていることが多い。
【０００４】
これらサポータとして、例えば、膝関節用のサポータは、特許文献１〜３に、腰部用のサポータは、特許文献４に、足首用のサポータは、特許文献５，６にそれぞれ開示されている。特に、特許文献６では、足首の前距腓靭帯を補強、保護するために、帯状のサポータが開示されている。このサポータは、伸縮性を有した帯状であって、両端部に面状ファスナが取付けられている。サポータの一端は、足首に巻き付けて固定され、途中の部分は、土踏まず部分に巻きかけられる。そして、他端寄りに設けられた前距腓靭帯保護部分の張力を調節しながら他端は、面状ファスナで固定する。
【特許文献１】特開平１１−３４２２１２号公報
【特許文献２】登録実用新案第３０３７１６１号公報
【特許文献３】特開２００１−２６２４１２号公報
【特許文献４】特開２００３−３０６８１３号公報
【特許文献５】特開平１１−３１８９６３号公報
【特許文献６】実開平７−４３０７３号公報
【発明の開示】
【発明が解決しようとする課題】
【０００５】
しかしながら、特許文献１〜６に開示されているようなサポータは、その形状だけでなく、布地の伸縮方向やその弾力性の強さ、布地同士の縫合線の位置などにも配慮されて、装着する部位に合せて専用に作られることが多い。そのため、いずれのものも他の部位に適用できない。また、体形に応じて数種類大きさの異なるものが用意されている場合でも、必ず万人の体形に対応できるものではない。
【０００６】
さらに、利用者によって、補助（補強、保護）したい部分が微妙に異なるため、対象部位を覆うために適当なのものを利用する場合でも、所望する補助機能が得られないこともある。また、利用者毎にもサポータに求めるフィット感や補助機能に対する満足度などが異なり、これによって得られる安心感も異なる。利用者毎に採寸してオーダーメイドすれば、所望するサポータを得ることができるかもしれないが、費用がかかるため現実的ではない。
【０００７】
そこで、本発明は、利用者や適用箇所によらず装着することができ、かつ、装着部の運動機能を補助することができるだけでなく、所望する適度なフィット感が得られる帯状サポータ、およびこの帯状サポータの装着方法を提供することを目的とする。
【課題を解決するための手段】
【０００８】
本発明に係る帯状サポータは、伸縮性を有する１本の平帯状であるとともに体の一部に２捲き以上螺旋状に捲き付けて少なくとも１か所で交差する長さを有する帯部と、この帯部の両側の端部に設けられて互いに接続される掛合部材とを備える。
【０００９】
この場合、帯部は、少なくとも１つの関節部の両側にわたって螺旋状に捲き付けられるとともに間接部が伸ばされた状態に対して屈曲する側で帯部が少なくとも交差する。または、帯部は、膝関節を挟んで大腿上部から下腿上部までの範囲に捲き付ける。または、帯部は、膝関節と下腿と足関節とを挟んで大腿下部から下腿を経て土踏まずまでの範囲に捲き付ける。または、帯部は、足首間接を挟んで下腿上部から土踏まずまでの範囲に捲き付ける。または、帯部は、肩関節と上腕と肘関節を挟んで鎖骨の肩峰端および肩甲骨の肩峰から上腕を経て前腕の中間部までの範囲に捲き付ける。または、帯部は、肘関節を挟んで上腕肩側端部から前腕の手側端部までの範囲に捲き付ける。または、帯部は、肘関節を挟んで上腕肘側端部から前腕の手側端部までの範囲に捲き付ける。または、帯部は、前腕の中間部から手側端部までの範囲に捲き付ける。または、帯部は、襷がけ状に背側の肩甲骨の間で少なくとも一回交差させて両鎖骨および腋窩を通して捲き付ける。または、帯部は、下腹部前で少なくとも１回交差させて肋骨下縁から大殿筋下部までの範囲に捲き付ける。または、帯部は、手首関節を挟んで前腕の手側端部から掌までの範囲に捲き付ける。または、帯部は、額から側頭部を回って後頭部に回る頭部周囲に捲き付ける。
【００１０】
掛合部材は、面状ファスナを使用すると、接合を容易に行える。面状ファスナの代わりに、ホック、スナップ、ボタンなどを用いても良い。また、帯状サポータの装着部に磁場の作用を与えるために、帯部の厚みを横切る方向に磁力線の向きを揃えて複数の磁石を帯部に間隔を有して配置する。
【００１１】
本発明に係る帯状サポータの装着方法は、例えば、伸縮性を有する１本の平帯状に形成された帯状サポータを大腿上部から膝関節を挟んで下腿上部までの範囲にわたって体の前後および膝関節の後側で交差するように螺旋状に捲き付ける。
【発明の効果】
【００１２】
本発明に係るサポータによれば、１本の平帯状であるので、利用者および適用箇所によらず装着することができ、かつ伸縮性を有しているので捲き付けるときの張力を調節することで所望する適度なフィット感が得られる。また、このサポータは、帯部を少なくとも１か所で交差するように螺旋状に捲き付けているので、体の動きや捩じれに対して追従性が良いだけでなく、複雑に交差する筋肉の収縮を適度に補助することができる。さらに、関節部の両側にわたって螺旋状に捲き付けるので、当該関節を取り巻く靭帯、腱、筋および筋肉を補助することができる。
【００１３】
また、間隔を有して磁石を複数個配置するサポータによれば、このサポータを捲き付けた部分の血流が磁場によって改善される。したがって、このサポータは、捲き付けた部分の運動機能を補助するとともに疲労が蓄積することを防止することができる。
【発明を実施するための最良の形態】
【００１４】
本発明に係る第１の実施形態の帯状サポータ１について、図１〜図１２を参照して説明する。帯状サポータ１は、伸縮性を有する１本の平帯状に形成された帯部２と、この帯部２の両端部２ａ，２ｂに取り付けられた面状ファスナ３ａ，３ｂとを備える。いずれの図でも明らかなように、帯部２は、体の一部に少なくとも２捲き以上捲き付ける十分な長さを有している。
【００１５】
面状ファスナ３ａ，３ｂは、帯状サポータ１の両端部２ａ，２ｂを互いに接続する掛合部材である。面状ファスナ３ａ，３ｂの代わりにホックやスナップあるいはボタンなどを用いても良い。また、帯部２の伸縮性に伴う張力、帯部２の長さ、帯部の２の幅などは、それぞれ数種類用意し、捲き付ける部分の筋力の補助を目的としているか、関節の補強を目的としているか、あるいは、利用者の好みに応じて使い分ける。
【００１６】
帯状サポータ１は、体に直接装着するか、肌着等の上から装着すると、服を着ることで外観上の見栄えは気にならなくなる。また、帯部２の材質については、通気性や吸湿性、あるいは、アレルギーなどに配慮されたものを用いることが好ましい。
【００１７】
以下に帯状サポータ１の捲き付け位置について、図１〜図１２に示した第１〜第１２の装着例を体の筋肉および骨の名称を基に説明する。つまり、説明に要した当該筋肉や骨のあるおおよその位置に従って、体の外表面に沿って帯状サポータ１を巻きつけることを意味する。また、以下に示す実施例は、帯状サポータ１の装着例の一部にすぎない。つまり、帯状であるので、関節部およびその周辺の筋肉の補助をするために、体のどの部位にも螺旋状に捲き付けて使用することができる。したがって、帯状サポータ１は、下記に示す実施例およびそれ以外の部位にも使用することのできる万能サポータとして使用することができる。
【実施例１】
【００１８】
第１装着例として、膝関節１０を挟んで大腿上部２０ａから下腿上部３０ａまでの範囲に帯状サポータ１を装着した状態を図１に示す。図１において、帯状サポータ１は、左脚に６回捲き付けて装着されている。より詳しく説明すると、帯状サポータ１は、上側の捲き付け端となる大腿上部２０ａに位置する大腿直筋上部２１ａから、膝関節１０を挟んで、下側の捲き付け端となる下腿上部３０ａに位置する脛骨粗面３１の下側および腓腹筋３２の上部３２ａを通る位置までの範囲にわたって装着している。
【００１９】
帯状サポータ１を装着する方法の一例は、帯部２の一方の端部２ａを腓骨頭３３よりやや下側、長腓骨筋３４あるいは前脛骨筋３５の上部（膝寄りの位置）３５ａに押え、そこから内転する方向に、脛骨粗面３１、薄筋腱２７ａと腓腹筋内側上部３２ｄとの間、膝関節１０の後側（膝窩）１０ａ、大腿二頭筋腱２３ａ、外側広筋下部２４ａ、内側広筋下部２５ａ、縫工筋２６、薄筋下部２７ｂ、半腱様筋下部２２ｂ、大腿二頭筋長頭下部２３ｂ、外側広筋中部２４ｂ、大腿直筋中部２１ｂ、薄筋中部２７ｃ、半腱様筋中部２２ｃ、大腿二頭筋長頭中部２３ｃ、腸脛靱帯上部２８ａ、外側広筋上部２４ｃ、大腿直筋上部２１ａと縫工筋上部２６ａとの交差部まで螺旋状に捲き上げ、ここから脚先に向かって引き続き内転する方向に、長内転筋上部２９ａ、薄筋上部２７ｄ、半腱様筋上部２２ｄ、大腿二頭筋長頭中部２３ｃ、腸脛靱帯中部２８ｂ、外側広筋中部２４ｂ、大腿直筋中部２１ｂ、内側広筋上部２５ｂ、薄筋下部２７ｂ、半腱様筋腱２２ａ、膝窩１０ａ、腓骨頭３３、脛骨粗面３１、腓腹筋内側上部３２ｄ、前脛骨筋上部３５ａ、まで螺旋状に捲き下げ、そして、両端部２ａ，２ｂの面状ファスナ３ａ，３ｂ同士を重ね合せて留める。帯部２は、脛骨粗面３１、膝関節１０の後側１０ａ、薄筋２７、大腿直筋中部２１ｂ、大腿二頭筋長頭中部２３ｃでそれぞれ交差する。
【００２０】
捲き付ける間、帯部２が脚にフィットするように、やや引張気味に張力を加えながら捲いていく。上記範囲に帯部２を捲き付けてなお長さの余った部分は、下腿上部３０ａに軽く捲き付ける。慣れてくれば、帯部２のほぼ中央部を上側の捲き付け端となる大腿直筋上部２１ａと縫工筋上部２６ａとの交差部に当て、脚先に向かって内転および外転する方向へそれぞれ螺旋状に捲き下げ、膝窩１０ａで帯部２を交差させた後、下腿上部３０ａとなる腓腹筋上部３２ａおよび脛骨粗面３１を通る位置で両端部２ａ，２ｂを面状ファスナ３ａ，３ｂで接続することも容易である。また、捲き付ける際に、多少位置がずれてしまったり、部分的に張力が強すぎたりしても、その部分を好みの位置及び張力に後で容易に調節することができる。
【実施例２】
【００２１】
第２装着例として、膝関節１０を挟んで大腿下部２０ｂから下腿下部３０ｂまでの範囲に帯状サポータ１を装着した状態を図２に示す。図２において、帯状サポータ１は、右脚に７回捲き付けて装着されている。より詳しく説明すると、帯状サポータ１は、上側の捲き付け端となる大腿下部２０ｂに位置する大腿四頭筋下部（外側広筋下部２４ａ、大腿直筋下部２１ｃ、内側広筋下部２５ａ）２０ｃおよび大腿二頭筋長頭下部２３ｂを通る位置から、膝関節１０を挟んで、下側の捲き付け端となる下腿下部３０ｂに位置するアキレス腱３７および上伸筋支帯３８の位置までの範囲にわたって装着している。
【００２２】
帯状サポータ１を装着する方法の一例は、帯部２の一方の端部２ａを長指屈筋腱あるいはアキレス腱３７、いわゆる足関節のやや上側の位置に押え、そこから外転する方向に前脛骨筋下部３５ｂ、長腓骨筋下部３４ａ、アキレス腱上部３７ａ、腓腹筋内側下部３２ｂ、前脛骨筋中部３５ｃ、腓腹筋外側中部３２ｃ、腓腹筋内側上部３２ｄ、脛骨粗面３１、腓骨頭３３、腓腹筋外側頭３２ｅ、膝窩１０ａ、半腱様筋腱２２ａ、縫工筋下部２６ｂ、大腿四頭筋下部２０ｃまで螺旋状に捲き上げ、ここから足首に向かって引き続き外転する方向に大腿二頭筋腱２３ａ、膝窩１０ａ、腓腹筋内側頭３２ｆ、縫工筋下端２６ｃ、脛骨粗面３１、前脛骨筋上部３５ａ、腓腹筋外側上部３２ｇ、腓腹筋内側中部３２ｈ、前脛骨筋中部３５ｃ、長腓骨筋中部３４ｂ、アキレス腱上部３７ａ、長指屈筋３９、上伸筋支帯３８、腓骨下部、アキレス腱３７まで螺旋状に捲き下げ、そして、両端部２ａ，２ｂの面状ファスナ３ａ，３ｂ同士を重合わせて留める。帯部２は、膝関節１０の後側（膝窩）１０ａ、脛骨粗面３１、腓腹筋３２の中部、前脛骨筋中部３５ｃ、アキレス腱上部３７ａ、上伸筋支帯３８、アキレス腱３７出それぞれ交差する。
【００２３】
捲き付ける間、第１実施例同様に、帯部２が脚にフィットするように、やや引張気味に張力を加えながら捲いていく。また、上記範囲に帯部２を巻きつけてなお余った余長部は、足首に軽く巻きつけた後、面状ファスナ３ａ，３ｂ同士を接続すればよい。慣れてくれば、帯部２の中間部を上側の捲き付け端となる大腿四頭筋下部２０ｃに当て、膝窩１０ａで互いに交差させた後、脚先に向かってそれぞれ内転および外転する方向に下側の捲き付け端となるアキレス腱３７の位置まで捲き下げて面状ファスナ３ａ，３ｂを留めることも容易である。なお、アキレス腱３７の位置から大腿２０に向かって捲き上げ、大腿四頭筋下部２０ｃの位置で両端部２ａ，２ｂを面状ファスナ３ａ，３ｂで接続しても良い。この場合、余長となる分だけあらかじめ足首に巻きつけてから大腿２０に向かって捲き上げてもよい。
【実施例３】
【００２４】
第３装着例として、膝関節１０と下腿３０と足関節４０を挟んで大腿下部２０ｂから土踏まず４１までの範囲に帯状サポータ１を装着した状態を図３に示す。図３において、帯状サポータ１は、右脚に８回捲き付けて装着されている。より詳しく説明すると、帯状サポータ１は、上側の捲き付け端となる大腿下部２０ｂに位置する大腿四頭筋下部２０ｃ、腸脛靱帯下部２８ｃ、大腿二頭筋腱２３ａ、半腱様筋腱２２ａから、膝関節１０を挟んで腓腹筋３２、さらに腓腹筋３２からアキレス腱３７へと捲き下げ、足関節４０を挟んで土踏まず４１に位置する母指外転筋４２および小指外転筋４３に捲き付く位置までの範囲にわたって装着している。
【００２５】
帯状サポータ１を装着する方法の一例は、帯部２の一方の端部２ａを内側広筋下部２５ａまたは縫工筋下部２６ｂに押え、そこから内転する方向に半腱様筋腱２２ａ、大腿二頭筋腱２３ａ、外側広筋下部２４ａと回して、膝関節１０の上側を通り、内側広筋下部２５ａ、膝窩１０ａ、腓腹筋外側頭３２ｅ、腓骨頭３３、脛骨粗面３１、腓腹筋内側中部３２ｈ、腓腹筋内側下部３２ｂ、腓腹筋外側下部３２ｋ、長腓骨筋中部３４ｂ、脛骨下部３０ｃ、長指屈筋腱３９ａ、アキレス腱３７、外果４４、下伸筋支帯４０ａ、母指外転筋４２へと土踏まず４１まで螺旋状に捲き下げ、ここから膝関節１０に向かって引き続き内転する方向に、足底を回って、小指外転筋４３、下伸筋支帯４０ａ、内果４５と踵骨４６の間、アキレス腱３７、長腓骨筋下部３４ａ、脛骨下部３０ｃ、腓腹筋内側下部３２ｂ、腓腹筋外側中部３２ｃ、長腓骨筋上部３４ｃ、脛骨粗面３１、縫工筋下端２６ｃ、腓腹筋内側頭３２ｆ、膝窩１０ａ、大腿二頭筋腱２３ａ、外側広筋下部２４ａまで螺旋状に捲き上げ、そして、両端部２ａ，２ｂの面状ファスナ３ａ，３ｂ同士を重合わせて留める。帯部２は、外側広筋下部２４ａ、膝窩１０ａ、脛骨粗面３１、腓腹筋内側下部３２ｂ、脛骨下部３０ｃ、アキレス腱３７、下伸筋支帯４０ａでそれぞれ交差する。
【００２６】
捲き付ける間、帯部２が脚にフィットするように、やや引張気味に張力を加えながら捲いていく。上記範囲に帯部２を捲き付けてなお長さの余った部分は、大腿下部２０ｂに軽く捲き付ける。慣れてくれば、帯部２のほぼ中央部を土踏まず４１に当て、膝上に向かって螺旋状に捲き上げ、下伸筋支帯４０ａ、アキレス腱３７、腓腹筋内側下部３２ｂ、膝窩１０ａで帯部２を交差させた後、大腿下部２０ｂの位置で端部２ａ，２ｂを面状ファスナ３ａ，３ｂで接続することも容易である。なお、大腿下部２０ｂの位置から土踏まず４１の方に向かって捲き下げた後、足の甲４７あるいは再び下腿下部３０ｂまで捲き上げて帯部２の両端部２ａ，２ｂを面状ファスナ３ａ，３ｂで留めても良い。
【実施例４】
【００２７】
第４装着例として、足関節４０を挟んで下腿上部３０ａから土踏まず４１までの範囲に帯状サポータ１を装着した状態を図４に示す。図４において、帯状サポータ１は、右脚に７回捲き付けて装着されている。より詳しく説明すると、帯状サポータ１は、上側の捲き付け端となる腓腹筋上部３２ａから、足関節４０を挟んで、下側の捲き付け端となる土踏まず４１および足の甲４７までの範囲にわたって装着している。
【００２８】
帯状サポータ１を装着する方法の一例は、帯部２の一方の端部２ａを腓腹筋外側上部３２ｇあるいは腓骨頭３３に押え、そこから外転する方向に、腓腹筋内側上部３２ｄ、脛骨中部３０ｄ、前脛骨筋中部３５ｃ、腓腹筋外側下部３２ｋ、アキレス腱上部３７ａ、上伸筋支帯３８、長腓骨筋下部３４ａ、アキレス腱３７、内果４５と踵骨４６の間、下伸筋支帯４０ａ、小指外転筋４３まで螺旋状に巻き下げ、ここから膝関節１０に向かって引き続き外転する方向に、土踏まず４１の母指外転筋４２を通って足の甲４７に少なくとも１周捲き付けた後、下伸筋支帯４０ａ、外果４４、アキレス腱３７、長指屈筋腱３９ａ、上伸筋支帯３８、長腓骨筋中部３４ｂ、アキレス腱上部３７ａ、腓腹筋内側下部３２ｂ、脛骨中部３０ｄ、前脛骨筋上部３５ａ、腓腹筋外側上部３２ｇまで螺旋状に捲き上げ、そして、両端部２ａ，２ｂの面状ファスナ３ａ，３ｂ同士を重合わせて留める。帯部２は、脛骨中部３０ｄ、アキレス腱上部３７ａ、上伸筋支帯３８、アキレス腱３７、下伸筋支帯４０ａ、土踏まず４１でそれぞれ交差している。
【００２９】
捲き付ける間、帯部２が脚にフィットするように、やや引張気味に張力を加えながら捲き付けていく。上記範囲に捲き付けてなお長さの余った部分は、膝下の下腿上部３０ａに捲き付けるか、端部２ａ，２ｂがちょうど合わさるように下側の捲き付け端となる土踏まず４１および足の甲４７で２，３周捲き付けて長さを調節する。慣れてくれば、帯部２のほぼ中央部を足底の土踏まず４１に当てて、そこから膝関節１０に向かって内転および外転する方向へそれぞれ螺旋状に捲き上げ、下伸筋支帯４０ａ、アキレス腱３７、上伸筋支帯３８、アキレス腱上部３７ａ、脛骨中部３０ｄでそれぞれ交差させた後、腓腹筋上部３２ａの位置で両端部２ａ，２ｂを面状ファスナ３ａ，３ｂで留めることも容易である。
【実施例５】
【００３０】
第５装着例として、肩関節５０と上腕６０と肘関節７０を挟んで鎖骨５１の肩峰端５１ａおよび肩甲骨５２の肩峰５２ａから上腕６０を経て前腕８０の中部８０ａまでの範囲に帯状サポータ１を装着した状態を図５に示す。図５において、帯状サポータ１は、右腕に９回捲き付けて装着されている。より詳しく説明すると、帯状サポータ１は、上側の捲き付け端となる鎖骨５１の肩峰端５１ａより体幹寄りの位置から腋窩５０ａに通され、上腕の外側および内側で少なくとも１回ずつ交差され、さらに、肘関節７０の内側および前腕８０の外側でそれぞれ交差された状態に装着されている。
【００３１】
帯状サポータ１を装着する方法の一例は、帯部２の一方の端部２ａを三角筋前部５３ａまたは鎖骨５１に押え、そこから腋窩５０ａを通る外旋方向に通し、三角筋後部５３ｂから内旋方向に三角筋中部上腕側端部５３ｃ、上腕二頭筋肩側部６１ａ、上腕三頭筋内側頭６２ａ、上腕三頭筋外側頭中部６２ｂ、上腕筋６３、上腕二頭筋肘側部６１ｂ、上腕三頭筋内側頭肘側部６２ｃ、肘頭７１の前腕側７１ａ、肘筋７２、尺側手根伸筋肘側部８１ａ、総指伸筋中部８３ａ、短橈側手根伸筋手側部８４ａまで螺旋状に捲き付け、前腕中部８０ａに少なくとも１周捲き付けた後、ここから肩関節５０に向かって引き続き内旋方向に、浅指屈筋８５、小指伸筋８２、総指伸筋８３ａ、橈側手根屈筋８６、尺側手根伸筋肘側部８１ａ、長掌筋８７、上腕三頭筋内側頭肘側部６２ｃ、上腕三頭筋外側頭肘側部６２ｄ、上腕筋６３、上腕二頭筋長頭中部６１ｃ、上腕三頭筋内側頭６２ａ、上腕三頭筋外側頭肩側部６２ｅ、三角筋中部上腕側端部５３ｃ、上腕二頭筋短頭６１ｄまで螺旋状に捲き上げられ、腋窩５０ａを通して三角筋後部５３ｂから肩甲骨５２の肩峰５２ａ、鎖骨５１を回って、三角筋前部５３ａで両端部２ａ，２ｂの面状ファスナ３ａ，３ｂ同士を重合わせて留める。帯部２は、腋窩５０ａ、三角筋中部上腕側端部５３ｃ、上腕三頭筋内側頭６２ａ、上腕筋６３、上腕三頭筋内側頭肘側部６２ｃ、尺側手根伸筋肘側部８１ａ、総指伸筋中部８３ａ、短橈側手根伸筋手側部８４ａでそれぞれ交差している。
【００３２】
捲き付ける間、帯部２が腕にフィットするように、やや引張気味に張力を加えながら捲き付けていく。上記範囲に捲き付けてなお余る帯部２は、肩関節５０の周辺に捲き付ける。慣れてくれば、三角筋前部５３ａで端部２ａ，２ｂが合わさるように前腕中部８０ａ側で２，３周捲き付けて長さを調整することも容易である。また、多少捲き付け位置がずれていても、端部２ａ，２ｂを面状ファスナ３ａ，３ｂで留めた後で、微調整することもできる。
【実施例６】
【００３３】
第６装着例として、肘関節７０を挟んで上腕肩側部６０ａから前腕手側部８０ｂまでの範囲に帯状サポータ１を装着した状態を図６に示す。図６において、帯状サポータ１は、右腕に１１回捲き付けて装着されている。より詳しく説明すると、帯状サポータ１は、上側の捲き付け端となる上腕肩側部６０ａに位置する上腕二頭筋短頭６１ｄおよび三角筋中部上腕側端部５３ｃから、肘関節７０を挟んで、前腕手側部８０ｂに位置する長母指外転筋８８までの範囲にわたって装着されている。
【００３４】
帯状サポータ１を装着する方法の一例は、帯部２の一方の端部２ａを前腕中部８０ａに押え、そこから回内方向に２，３周、長母指外転筋８８まで手首側に向かって螺旋状に捲き付けた後、短橈側手根伸筋手側部８４ａから上腕６０に向かって引き続き回内方向に、総指伸筋手側部８３ｃ、浅指屈筋８５、小指伸筋８２、総指伸筋中部８３ａ、腕橈骨筋８９、長掌筋８７、肘筋７２、尺側手根伸筋肘側部８１ａ、上腕骨内側上顆７３、上腕三頭筋肘側端部６２ｆ、上腕筋６３、上腕二頭筋肩側部６１ａ、上腕三頭筋内側頭６２ａまで螺旋状に捲き上げ、三角筋中部上腕側端部５３ｃへ少なくとも１周捲き付けた後、引き続き回内方向に前腕８０に向けて、上腕三頭筋内側頭６２ａ、上腕三頭筋外側頭中部６２ｂ、上腕筋６３、上腕二頭筋肘側部６１ｂ、上腕三頭筋内側頭肘側部６２ｃ、上腕三頭筋肘側端部６２ｆ、尺側手根伸筋肘側部８１ａ、総指伸筋肘側部８３ｂ、腕橈骨筋８９、総指伸筋中部８３ａ、橈側手根屈筋８６まで捲き付け、そして、端部２ａ，２ｂの面状ファスナ３ａ，３ｂ同士を重合わせて留める。帯部２は、上腕三頭筋内側頭６２ａ、上腕筋６３、上腕三頭筋肘側端部６２ｆ、尺側手根伸筋肘側部８１ａ、腕橈骨筋８９、総指伸筋中部８３ａ、総指伸筋手側部８３ｃ、短橈側手根伸筋手側部８４ａにおいて少なくとも交差している。
【００３５】
捲き付ける間、帯部２が腕にフィットするように、やや引張気味に張力を加えながら捲き付けていく。上記範囲に捲き付けてなお余る帯部２は、前腕８０に軽く捲き付けて調節する。また、前腕中部８０ａから捲き始める以外に、上腕肩側部６０ａから捲き始めても良い。
【実施例７】
【００３６】
第7装着例として、肘関節７０を挟んで上腕肘側端部６０ｂから前腕手側部８０ｂまでの範囲に帯状サポータ1を装着した状態を図７に示す。図７において、帯状サポータ１は、左腕に９回捲き付けて装着されている。より詳しく説明すると、帯状サポータ１は、上腕肘側端部６０ｂに少なくとも１周捲き付けた後、肘関節７０が屈曲する内側で交差され、さらに、前腕８０の外側および内側で少なくとも１回ずつ交差された状態に装着されている。
【００３７】
帯状サポータ１を装着する方法の一例は、帯部２の一方の端部２ａを上腕三頭筋内側頭肘側部６２ｃまたは上腕筋肘側部６３ａに押え、そこから内旋する方向に上腕肘側端部６０ｂに少なくとも１周捲き付けた後、上腕三頭筋内側頭肘側部６２ｃ、上腕三頭筋肘側端部６２ｆ、長橈側手根伸筋８４ｂ、腕橈骨筋肘側部８９ａ、橈側手根屈筋８６、尺側手根伸筋中部８１ｂ、総指伸筋中部８３ａ、短橈側手根伸筋手側部８４ａ、腕橈骨筋腱８９ｂ、浅指屈筋腱８５ａまで螺旋状に捲き付け、前腕手側部８０ｂに２周捲き付けた後、腕橈骨筋腱８９ｂよりやや手側の位置から肘関節７０に向かって引き続き内旋方向に、浅指屈筋腱８５ａ、総指伸筋８３ａ、橈側手根屈筋８６、浅指屈筋８５、尺側手根伸筋肘側部８１ａ、腕橈骨筋肘側部８９ａ、上腕骨内側上顆７３、上腕三頭筋肘側端部６２ｆ、上腕筋肘側部６３ａまで捲き上げられ、上腕二頭筋肘側部６１ｂにおいて両端部２ａ，２ｂの面状ファスナ３ａ，３ｂ同士を重合わせて留める。帯部２は、上腕三頭筋肘側端部６２ｆ、腕橈骨筋肘側部８９ａ、橈側手根屈筋８６、総指伸筋８３ａ、浅指屈筋腱８５ａの位置でそれぞれ交差している。
【００３８】
捲き付ける間、帯部２が腕にフィットするように、やや引張り気味に張力を加える。上記範囲に捲き付けてなお余る帯部２は、肘関節７０の周辺に捲き付けるか、前腕手側部８０ｂに数回余分に巻きつけた後折り返し捲き上げるようにすることで、調節することができる。また、捲き付けた位置が多少ずれていても、端部２ａ，２ｂを面状ファスナ３ａ，３ｂで接続した後で、微調整することができる。
【実施例８】
【００３９】
第８装着例として、前腕の中間部から手首側までの範囲に帯状サポータ１を装着した状態を図８に示す。図８において、帯状サポータ１は、左腕の前腕８０に８回捲き付けて装着されている。より詳しく説明すると、帯状サポータ１は、前腕中部８０ａから手関節９０のまでの範囲に螺旋状に密に捲き付けられている。
【００４０】
帯状サポータ１を装着する方法の一例は、帯部２の一方の端部２ａを前腕中部８０ａ二位置する橈側手根屈筋８６に押え、そこから手側に向かって螺旋状に尺骨を回外方向に回って浅指屈筋腱８５ａまで半周捲き付けた後、引き続き回外方向に帯部２の幅分ずつ肘側にずらしながら前腕中部８０ａまで捲き付け、端部２ａ，２ｂに設けられた面状ファスナ３ａ，３ｂ同士を重合わせて留める。
【００４１】
このとき、帯部２が前腕８０にフィットするように、やや引張気味に張力を加えながら捲き付けていく。回外方向に帯部２を捲き付けているので、帯状サポータ１は、前腕８０を回外させるための筋力を補助することができる。したがって、前腕８０を回内させる方向の筋力を帯状サポータ１で補強する場合は、回内させる方向に帯部２を前腕８０に螺旋状に捲き付ける。
【００４２】
なお、捲き付ける帯部２を重ねる、あるいは、互いに隙間を設けることで、帯状サポータ１の装着範囲を調整することができる。また、図８に示す帯状サポータ１の捲き付け状態は、一例であるので、手関節９０側から捲き始めても良い。
【実施例９】
【００４３】
第９装着例として、左右両肩の鎖骨からそれぞれ腋窩を通って背中で交差させる、いわゆる襷がけに帯状サポータ１を装着した状態を図９に示す。図９において、帯状サポータ１は、左肩５０Ｌの三角筋前部５３ａおよび大胸筋肩側部５４の位置で帯部２の端部２ａ，２ｂの面状ファスナ３ａ，３ｂ同士が重ね合わされて留められている。そして、帯部２は、大胸筋肩側部５４から腋窩５０ａ、大円筋５５を回って、左右の肩甲骨５２の間に位置する胸椎１０１の位置を通り、右肩５０Ｒの鎖骨５１、大胸筋肩側部５４、腋窩５０ａ、大円筋５５を回って、左右の肩甲骨５２の間に位置する胸椎１０１の位置で交差し、左肩５０Ｌの鎖骨５１に回されて、端部２ａ，２ｂの面状ファスナ３ａ，３ｂ同士を重合わせて留める。面状ファスナ３ａ，３ｂは、それぞれ帯部２の延びる方向に長さを有しているので、互いの重なり代を調節することで、帯状サポータ１の締付け強度を利用者の好みに合わせて調節することができる。
【００４４】
上述のように帯状サポータ１を装着することで、僧帽筋５６の収縮力を補助することができる。また、帯部２を脊椎に沿って頭部側の頚椎１０２に近い位置で交差させることで、両肩に伸びる肩甲挙筋５７を補助することができる。
【実施例１０】
【００４５】
第１０装着例として、腰部１１０に帯状サポータ１を装着した状態を図１０に示す。
【００４６】
図１０において、帯状サポータ１は、腰部１１０に帯部２を６回捲き付けて装着されている。より詳しく説明すると、帯状サポータ１は、肋骨１１１の下縁１１１ａの位置から、大腿骨頭２０ｄおよび仙骨１０３を結ぶ位置までの範囲にわたって装着される。
【００４７】
帯状サポータ１を装着する方法の一例は、帯部２の一方の端部２ａを右脇腹の肋骨１１１の下縁１１１ａに押え、そこから背側を回る方向に外腹斜筋下端１１３の位置で１周捲き付けた後、腰椎１０４の位置を通って骨盤１０５の左側の上前腸骨棘１０５ａの上側の内腹斜筋１１４を回り、腹直筋下部１１５から右側の大腿骨頭２０ｄと上前腸骨棘１０５ａの間に位置する中殿筋１１６の位置を通って右側の大殿筋１１７、仙骨１０３まで螺旋状に捲き下げ、ここから引き続き同じ方向に、左側の大殿筋１１７、中殿筋１１６を回り、さらに腹直筋下部１１５、右側の上前腸骨棘１０５ａの上側の内腹斜筋１１４を回り、腰椎１０４の位置を通って左側の外腹斜筋下端１１３の位置まで螺旋状に捲き上げる。そして、両端部２ａ，２ｂの面状ファスナ３ａ，３ｂを重合わせて留める。帯部２は、腰椎１０４の位置、および腹直筋下部１１５の位置で交差する。
【００４８】
帯状サポータ１は、帯部２のほぼ中央を仙骨１０３に当て、そこから右回りおよび左回りにそれぞれからだの前後で交差させながら捲き上げて装着しても良い。上記範囲に巻きつけてなお余った帯部２は、外腹斜筋下端１１３の位置で捲き付けるか、余長分をしばって長さを調整しても良い。
【００４９】
帯状サポータ１を第１０装着例のように装着すると、仙骨１０３の位置と腹直筋下部１１５の位置でそれぞれ帯部２が交差さするので、腰椎１０４と骨盤１０５との位置関係が矯正されて安定する。
【実施例１１】
【００５０】
第１１装着例として、手関節９０を挟んで前腕手側部８０ｂから手９１までの範囲に捲き付けて帯状サポータ１を装着した状態を図１１に示す。図１１において、帯状サポータ１は、手９１の中手骨９２の位置、いわゆる「手の甲」から手関節９０を挟んで、前腕手側部８０ｂまでの範囲に捲き付けて装着している。
【００５１】
より詳しく説明すると、中手骨９２の位置に２周、母指９３に１周、前腕手側部８０ｂに３周、それぞれ捲き付けているとともに、手関節９０の背側９０ａおよび腹側９０ｂで帯部２を交差させている。手関節９０の豆状骨９４又は三角骨９５から第１中手骨９６と第２中手骨９７の間、いわゆる親指と人差し指の間までと、大菱形骨９８から第５中手骨９９までとに捲き付けられた帯部２が交差する。
【００５２】
手関節９０の背側９０ａと腹側９０ｂとで帯部２を交差させることにより、橈側偏位および尺側偏位に対する手関節９０のずれを補強し、掌側屈曲および背側屈曲に対して手関節９０の動きを抑制あるいは筋力を補助する。なお、帯部２を交差させる位置を豆状骨９４又は三角骨９５の位置及び大菱形骨９８の位置にすることで、橈側偏位および尺側偏位を抑制し、掌側屈曲、および背側屈曲を補強することができる。
【実施例１２】
【００５３】
第１２装着例として、頭部１２０に捲き付けて帯状サポータ１を装着した状態を図１２に示す。また、図１２において、帯部２には、所定の間隔で複数の磁石４を内蔵している。各磁石４の磁力線の向きは、帯部２の厚みを横切る方向に揃えられている。帯部２は、額１２１から側頭部１２２を回って後頭部１２３へと回るように捲き付ける。図１２においては、少なくとも３回捲き付けている。
【００５４】
また、実施例１〜実施例１１においても実施例１２と同様に帯部２に磁石４を内蔵し、磁石４の部分を筋の血流が減少しているいわゆる「こり」のある部分に当てて帯状サポータ１を装着しても良い。磁石４を内蔵する帯状サポータ１を装着することで、「こり」のある部分の血流を改善し、筋中の疲労物質を早く取除くことができるとともに、運動前から帯状サポータ１を装着することで、疲労物質の蓄積を防止することもできる。
【図面の簡単な説明】
【００５５】
【図１】本発明に係る帯状サポータを左脚大腿上部から膝下までの範囲に装着した状態について、（Ａ）は、左前から示し、（Ｂ）は、左後ろから示す図。
【図２】本発明に係る帯状サポータを右脚膝上から下腿の足首上までの範囲に装着した状態について、（Ａ）は、前から示し、（Ｂ）は、後から示す図。
【図３】本発明に係る帯状サポータを右脚膝上から土踏まずまでの範囲に装着した状態について、（Ａ）は、前から示し、（Ｂ）は、後から示す図。
【図４】本発明に係る帯状サポータを右脚下腿上部から土踏まず間での範囲に装着した状態について、（Ａ）は、前から示し、（Ｂ）は、後から示す図。
【図５】本発明に係る帯状サポータを右腕肩から前腕中部までの範囲に装着した状態について、（Ａ）は、右前から示し、（Ｂ）は、右後から示す図。
【図６】本発明に係る帯状サポータを右腕上腕肩側部から前腕手首側までの範囲に装着した状態について、（Ａ）は、右前から示し、（Ｂ）は、右後から示す図。
【図７】本発明に係る帯状サポータを左腕肘上から前腕手首側までの範囲に装着した状態について、（Ａ）は、右前から示し、（Ｂ）は、左後から示す図。
【図８】本発明に係る帯状サポータを左腕の前腕の中部から手首までの範囲に装着した状態について、（Ａ）は、右前から示し、（Ｂ）は、左後から示す図。
【図９】本発明に係る帯状サポータを左右両肩の鎖骨から腋を介して背中で交差させた装着状態について、（Ａ）は、前から示し、（Ｂ）は、後から示す図。
【図１０】本発明に係る帯状サポータを腰部に装着した状態について、（Ａ）は、左前から示し、（Ｂ）は、右後から示す図。
【図１１】本発明に係る帯状サポータを左手首に装着した状態について、（Ａ）は、手の甲側から示し、（Ｂ）は、掌側から示す図。
【図１２】本発明に係る帯状サポータを頭部に装着した状態を右後から示す図。
【符号の説明】
【００５６】
１…帯状サポータ、２…帯部、２ａ，２ｂ…端部、３ａ，３ｂ…面状ファスナ（掛合部材）、４…磁石、１０…膝関節、１０ａ…膝窩（膝関節の後側）、２０ａ…大腿上部、３０ａ…下腿上部。４０…足関節、５０…肩関節、７０…肘関節、９０…手関節。
【図１】
2005163209.tif 000003
【図２】
2005163209.tif 000004
【図３】
2005163209.tif 000005
【図４】
2005163209.tif 000006
【図５】
2005163209.tif 000007
【図６】
2005163209.tif 000008
【図７】
2005163209.tif 000009
【図８】
2005163209.tif 000010
【図９】
2005163209.tif 000011
【図１０】
2005163209.tif 000012
【図１１】
2005163209.tif 000013
【図１２】
2005163209.tif 000014